(57)【特許請求の範囲】
【請求項１】
第１成分が収容された第１成分収容部を有する有底筒状の容器本体と、この容器本体の上端開口部に着脱自在に固定される有天筒状のキャップと、このキャップの天井板の下面から垂設され第２成分を収容する筒状の第２成分収容部と、この第２成分収容部の下端開口部を着脱自在に栓する有底筒状の栓部とを備え、上記第２成分収容部の下部が、上記第１成分収容部に入り込んでいるとともに、上記栓部の下部周壁が、上記容器本体の内周面から延びる連結片部の先端と一体化されて上記容器本体の第１成分収容部に入り込んだ位置に固定されており、上記容器本体にキャップを固定した状態では上記第２成分収容部の下端開口部が上記栓部で栓され、上記容器本体からキャップを取り外す際に、上記栓部から上記第２成分収容部の下端開口部が外れて、上記第２成分収容部内の第２成分が、上記連結片部の両横側に形成される流通用空間から流出し容器本体内に流入するようになっていることを特徴とする二成分混合容器。
【請求項２】
上記連結片部が複数本設けられ、これら各連結片部が内側に向かって下り傾斜状に傾斜し、上記各連結片部の下端部が上記栓部の下部周壁に一体化されている請求項１記載の二成分混合容器。
【請求項３】
第１成分が収容された第１成分収容部を有する有底筒状の容器本体と、この容器本体の上端開口部に着脱自在に固定される有天筒状のキャップと、このキャップの天井板の下面から垂設され第２成分を収容する筒状の第２成分収容部と、この第２成分収容部の下端開口部を着脱自在に栓する有底筒状の栓部と、上記容器本体の上端開口部に着脱自在に固定される混合物吐出手段とを備え、上記第２成分収容部の下部が、上記容器本体内の第１成分収容部に入り込んでいるとともに、上記栓部の下部周壁が、上記容器本体の内周面から延びる連結片部の先端と一体化されて上記容器本体の第１成分収容部に入り込んだ位置に固定されており、上記容器本体にキャップを固定した状態では上記第２成分収容部の下端開口部が上記栓部で栓され、上記容器本体からキャップを取り外す際に、上記栓部から上記第２成分収容部の下端開口部が外れて、上記第２成分収容部内の第２成分が、上記連結片部の両横側に形成される流通用空間から流出し容器本体内に流入するようになっており、かつ上記キャップを取り外した容器本体の上端開口に、上記混合物吐出手段を取り付けることにより、容器本体内の第１成分と第２成分とが混合状態で吐出されるようになっていることを特徴とする二成分混合容器。
【請求項４】
上記混合物吐出手段が、ノズル付き押しボタンを有する混合液吐出用ポンプ装置で構成されている請求項３記載の二成分混合容器。
【発明の詳細な説明】
【技術分野】
【０００１】
本発明は、二成分を混合して得られる化粧料等の上記二成分をそれぞれ隔離状態で収容し、使用時等に混合することのできる二成分混合容器に関するものである。
【背景技術】
【０００２】
従来から、化粧料，整髪料，飲料等として様々なものが開発されて市場に出回っているが、そのなかで、美容成分，栄養成分等が含有される粉末や錠剤を液状化粧料，飲料等に混合して使用するものがある。ところが、このものでは、粉末等を予め液状化粧料等に混合させていると、美容成分や栄養成分の化学変化等によりその効力が失われてしまうという問題がある。このため、未使用時には粉末等と液状化粧料等とを別々に隔離した状態にして収容し、使用の際に、両者を混合して使用することが必要になる。
【０００３】
そこで、粉末等と液状化粧料等とを別々に隔離した状態で収容し、使用時にそれらを混合して使用することができる容器として、図１５に示すような二成分混合容器が提案されている。この二成分混合容器は、有天円筒状に形成されその天井壁からノズル部５１ａが突設された上側容器５１と、この上側容器５１の下端開口部に着脱自在に固定される有底円筒状の下側容器５２と、上記上側容器５１のノズル部５１ａを蓋するキャップ５３とを備えている。また、上記下側容器５２が、内部に液体化粧料５４が収容された有底円筒状のエッセンス容器５５と、このエッセンス容器５５の上端開口部に固定される円筒状のパウダー容器５６とで構成されており、このパウダー容器５６内に、内部に粉末５７が収容された有底円筒状のパウダー収容部５６ａが配設されており、上記パウダー容器５６およびパウダー収容部５６ａの上端開口部にシール材５８が剥離可能に接着されている（例えば、特許文献１参照）。
【０００４】
そして、使用時には、まず、上側容器５１を下側容器５２から取り外し、ついで、この下側容器５２の上端開口部からシール材５８を手指で摘んで剥がし、つぎに、下側容器５２に、キャップ５３でノズル部５１ａを蓋した上側容器５１を取り付け、その状態で上側容器５１，下側容器５２を逆さにして上側容器５１内の液体化粧料５４とパウダー収容部５６ａ内の粉末５７とを下側容器５２内に流入させて（図１６参照）ここで混合させる。この混合ののち、キャップ５３をノズル部５１ａから取り外し、上側容器５１，下側容器５２を所定の下向き角度に傾けて上側容器５１の胴部を手指で押圧し、ノズル部５１ａから混合液を吐出させることを行う。
【特許文献１】特開平１０−４２９４４号公報
【発明の開示】
【発明が解決しようとする課題】
【０００５】
しかしながら、上記の二成分混合容器では、上側容器５１内の液体化粧料５４とパウダー収容部５６ａ内の粉末５７とを混合させる際には、下側容器５２の上端開口部からシール材５８を手指で摘んで剥がしたのち下側容器５２に上側容器５１を取り付け、その状態で上側容器５１，下側容器５２を逆さにしなければならず、この操作が難しくて判りにくいという問題がある。しかも、上側容器５１を下側容器５２に取り付けたり、シール材５８を下側容器５２の上端開口部から手指で摘んで剥がしたりするのに、大きな力を必要とし、また、場合によってはシール材５８を下側容器５２の上端開口部から完全に剥がすことができないという問題がある。
【０００６】
本発明は、このような事情に鑑みなされたもので、混合時の操作が簡単で、使用時に小さな力で確実に開栓することのできる二成分混合容器の提供をその目的とする。
【課題を解決するための手段】
【０００７】
上記の目的を達成するため、本発明は、第１成分が収容された第１成分収容部を有する有底筒状の容器本体と、この容器本体の上端開口部に着脱自在に固定される有天筒状のキャップと、このキャップの天井板の下面から垂設され第２成分を収容する筒状の第２成分収容部と、この第２成分収容部の下端開口部を着脱自在に栓する有底筒状の栓部とを備え、上記第２成分収容部の下部が、上記第１成分収容部に入り込んでいるとともに、上記栓部の下部周壁が、上記容器本体の内周面から延びる連結片部の先端と一体化されて上記容器本体の第１成分収容部に入り込んだ位置に固定されており、上記容器本体にキャップを固定した状態では上記第２成分収容部の下端開口部が上記栓部で栓され、上記容器本体からキャップを取り外す際に、上記栓部から上記第２成分収容部の下端開口部が外れて、上記第２成分収容部内の第２成分が、上記連結片部の両横側に形成される流通用空間から流出し容器本体内に流入するようになっている二成分混合容器を第１の要旨とする。
また、第１成分が収容された第１成分収容部を有する有底筒状の容器本体と、この容器本体の上端開口部に着脱自在に固定される有天筒状のキャップと、このキャップの天井板の下面から垂設され第２成分を収容する筒状の第２成分収容部と、この第２成分収容部の下端開口部を着脱自在に栓する有底筒状の栓部と、上記容器本体の上端開口部に着脱自在に固定される混合物吐出手段とを備え、上記第２成分収容部の下部が、上記容器本体内の第１成分収容部に入り込んでいるとともに、上記栓部の下部周壁が、上記容器本体の内周面から延びる連結片部の先端と一体化されて上記容器本体の第１成分収容部に入り込んだ位置に固定されており、上記容器本体にキャップを固定した状態では上記第２成分収容部の下端開口部が上記栓部で栓され、上記容器本体からキャップを取り外す際に、上記栓部から上記第２成分収容部の下端開口部が外れて、上記第２成分収容部内の第２成分が、上記連結片部の両横側に形成される流通用空間から流出し容器本体内に流入するようになっており、かつ上記キャップを取り外した容器本体の上端開口に、上記混合物吐出手段を取り付けることにより、容器本体内の第１成分と第２成分とが混合状態で吐出されるようになっている二成分混合容器を第２の要旨とする。
【発明の効果】
【０００８】
すなわち、本発明の第１の二成分混合容器は、第１成分が収容された第１成分収容部を有する有底筒状の容器本体と、この容器本体の上端開口部に着脱自在に固定される有天筒状のキャップと、このキャップの天井板の下面から垂設され第２成分を収容する筒状の第２成分収容部と、この第２成分収容部の下端開口部を着脱自在に栓する有底筒状の栓部とを備えている。そして、上記第２成分収容部の下部が、上記第１成分収容部に入り込んでいるとともに、上記容器本体の内周面から延びる連結片部の先端が上記栓部の下部周壁に一体化されており、上記容器本体にキャップを固定した状態で上記第２成分収容部の下端開口部が栓部で栓され、上記容器本体からキャップを取り外す際に、上記第２成分収容部の下端開口部が栓部から外れて上記第２成分収容部内の第２成分が流出し容器本体内に流入するようになっている。したがって、上記容器本体の上端開口部にキャップを固定した状態では、このキャップの第２成分収容部の下端開口部を栓する栓部で、上記の第１の二成分混合容器内を２つの空間（収容部の内部空間と容器本体の内部空間）に仕切ることができ、これにより、上記両空間にそれぞれ異なった成分を収容する（すなわち、容器本体内に第１成分を収容して第１成分収容部とし、第２成分収容部内に第２成分を収容する）ことで、１個の容器内に異なる二成分を隔離した状態で収容することができる。
【０００９】
そして、使用時には、上記容器本体の上端開口部からキャップを取り外すことを行う。これにより、上記第２成分収容部の下端開口部から栓部が離間し、上記連結片部が形成されていない部分（すなわち、上記連結片部の両横側に形成される流通用空間）を介して、第２成分収容部の内部空間と容器本体の内部空間が連通するようになる。その結果、第２成分収容部の内部空間に収容された第２成分が上記流通用空間を通って落下し、容器本体の内部空間に収容された第１成分と混合するようになる。
【００１０】
このように、上記の第１の二成分混合容器では、使用時に上記容器本体の上端開口部からキャップを取り外すだけで、上記容器本体内における第１成分収容部の第１成分と第２成分収容部内の第２成分とを混合させることができ、混合時の操作が簡単である。しかも、上記容器本体の上端開口部からキャップを取り外すのに大きな力を必要とせず、小さな力で行えるうえ、キャップを取り外すことで、確実に第２成分収容部の下端開口部から栓部を外す（すなわち、開栓する）ことができる。しかも、上記栓部が有底筒状に形成されているため、上記栓部の周側壁が内側に撓みやすく、上記容器本体の上端開口部にキャップを固定して上記第２成分収容部の下端開口部を栓部で栓する際に、上記第２成分収容部の下端開口部に栓部を嵌合させやすくなる。しかも、上記キャップの天井板の下面から第２成分収容部が垂設されているため、上記容器本体の上端開口部にキャップを固定した状態では、上記第２成分収容部の全体が容器本体の内部に配設されて上記容器本体で保護されており、上記第２成分収容部が容器本体外の他物に当たって破損，損傷等することがない。
【００１１】
また、本発明の第２の二成分混合容器は、上記の第１の二成分混合容器に、その容器本体の上端開口部に着脱自在に固定される混合物吐出手段を加えたものであり、使用時には上記容器本体の上端開口部からキャップを取り外したのち、上記容器本体の上端開口部に混合物吐出手段を取り付け、この混合物吐出手段を利用して容器本体内の混合物を所望の場所に吐出することを行う。したがって、本発明の第２の二成分混合容器では、上記の第１の二成分混合容器と同様の作用・効果を奏するうえ、使用時には、混合物吐出手段を利用して容器本体内の混合物を所望の場所に吐出することができ、簡単に使用することができる。なお、本発明の第１および第２の二成分混合容器において、二成分とは、液体，粉末，錠剤等の各成分のなかの、同種類（例えば、液体と液体）もしくは異種類（例えば、液体と粉末、液体と錠剤）の二成分を指す。
【００１２】
また、上記連結片部が複数本設けられ、これら各連結片部が内側に向かって下り傾斜状に傾斜し、上記各連結片部の下端部を上記栓部の下部周壁に一体化していると、この栓部が、上記容器本体の内周面から内側に向かって下り傾斜状に傾斜する各連結片部の先端で連結されているため、上記栓部が前後左右等どの方向にも少し移動しうるようになる。したがって、上記容器本体の上端開口部にキャップを固定して上記収容部の下端開口部に栓部を嵌合させる際に、この栓部を移動させながら上記収容部の下端開口部にスムーズに嵌合させることができ、しかも、上記各連結片部の先端，栓部や収容部の下端開口部等に無理な力が作用せず、耐久性が向上する。
【００１３】
また、上記混合物吐出手段が、ノズル付き押しボタンを有する混合液吐出用ポンプ装置で構成されていると、混合物が混合液である場合に、上記ボタンを手指等で押圧するだけで簡単に混合液を吐出することができる。
【発明を実施するための最良の形態】
【００１４】
つぎに、本発明の実施の形態を図面にもとづいて詳しく説明する。ただし、これに限定されるわけではない。
【００１５】
図１および図２は本発明の第１の二成分混合容器の一実施の形態を示している。この実施の形態では、二成分混合容器として、美容成分等を含有した粉末（第２成分）Ｂを液状化粧料（第１成分）Ａに混合して使用する二成分混合容器（図２参照）が用いられている。これらの図において、１は有底円筒状に形成された容器本体（図３参照）であり、内部に液状化粧料Ａが収容される有底円筒状の合成樹脂製のケース２と、このケース２の上端開口部に固定される合成樹脂製のキャップ取付部３とからなる。なお、上記ケース２の、液状化粧料Ａが収容された部分が「第１成分収容部」である。
【００１６】
上記ケース２は、図４に示すように、その周側壁１ａの外周面上端部が切欠き形成されて小径部１１に形成されており、この小径部１１の外周面にその周方向に沿って、上記キャップ取付部３の係合用凹部１６ａ（図５参照）に係合する円環状の係合用凸条１１ａが突設されている。
【００１７】
上記キャップ取付部３は、図５に示すように、下側二重壁部分１２と、この下側二重壁部分１２の内周面上端部から内側に突設される円環状の天井壁１３と、この天井壁１３の中央孔の内周縁部上面から立設される円筒状の上側周側壁（首部）１４とを有しており、上記上側周側壁１４の外周面に、後述するキャップ４のねじ部２５ａにら合するねじ部１４ａが形成されている。上記下側二重壁部分１２は、円筒状の内側壁１５と、円筒状の外側壁１６と、これら内外両側壁１５，１６の上端部を連結する円環状の連結壁１７とからなっており、上記内外両側壁１５，１６間の部分に上記ケース２の小径部１１が挿入されている。また、上記外側壁１６には、その内周面上部に、上記ケース２の小径部１１の係合用凸条１１ａに係合する円環状の係合用凹部１６ａが形成されている。
【００１８】
また、上記天井壁１３の中央孔の内周縁部下面から所定の間隔をあけて３本の連結片部１８が内側に向かって下向き傾斜状に延びており、これら各連結片部１８の下端部が、後述するキャップ４の収容部２３の下端開口部を着脱自在に栓する有底円筒状の栓部１９の外周面下端部に一体的に連結されている（図６および図７参照）。
【００１９】
４は有天円筒状に形成された合成樹脂製のキャップであり、図８に示すように、二重壁部分２１と円板状の天井壁２２と円筒状の収容部（第２成分収容部）２３とで構成されている。上記二重壁部分２１は、円筒状の内側壁２４と、円筒状の外側壁２５と、これら内外両側壁２４，２５の上端部を連結する円環状の連結壁２６とからなり、上記内外両側壁２４，２５間の部分にキャップ取付部３の上側周側壁１４が挿入されている。上記外側壁２５には、その内周面に、上記キャップ取付部３の上側周側壁１４のねじ部１４ａにら合するねじ部２５ａが形成されている。また、上記収容部２３は、上記天井壁２２の下面中央部から垂設されており、その下端開口部が、上記キャップ４をキャップ取付部３の上側周側壁１４にら合させた時に、栓部１９に外嵌してこの栓部１９の外周面に気密状に当接するようにしている（図２参照）。
【００２０】
上記の構成において、上記二成分混合容器を作製する場合には、まず、液状化粧料Ａを収容したケース２と、粉末Ｂを収容した収容体とを準備する。この収容体は、キャップ取付部３とキャップ４とを組み付けたものであり（図９参照）、キャップ４を逆さにした状態でキャップ４の収容部２３に粉末Ｂを収容し、その状態でキャップ取付部３を上から被せ（図１０参照）、このキャップ取付部３の上側周側壁１４のねじ部１４ａをキャップ４の外側壁２５のねじ部２５ａにら合させたものである。この状態では、上記収容部２３の下端開口部は栓部１９で気密状に内嵌されている。ついで、ケース２の小径部１１にキャップ取付部３の下側二重壁部分１５を押し込んでこの外側壁１７の係合用凹部１７ａをケース２の小径部１１の係合用凸条１１ａに係合させることを行う。これにより、上記の二成分混合容器を組み付けることができる。
【００２１】
また、使用時には、キャップ取付部３の上端開口部からキャップ４を取り外す。これにより、上記収容部２３の下端開口部と栓部１９との嵌合が外れ、上記収容部２３内の粉末Ｂが流出してケース２内に流入し、ケース２内の液状化粧料Ａと混合する。この混合ののち、ケース２を所定の角度に傾け、キャップ取付部３の上端開口部から混合液（図示せず）を取り出し、使用に供するようにする。
【００２２】
このように、上記実施の形態では、混合の際に、キャップ取付部３の上端開口部からキャップ４を取り外すだけでよく、操作が簡単であるうえ、小さな力で確実に開栓することができる。しかも、上記栓部１９が有底円筒状に形成されているため、上記栓部１９を収容部２３の下端開口部に内嵌させる際に、上記栓部１９の周側壁が撓んで嵌合させやすくなる。しかも、上記収容部２３の全体がケース２内に配設されているため、上記収容部２３の全体をケース２で保護することができる。
【００２３】
図１１および図１２は本発明の第２の二成分混合容器の一実施の形態を示している。この実施の形態では、第２の二成分混合容器として、上記第１の二成分混合容器に、図１３に示す混合物吐出手段６を加えたものが用いられている。
【００２４】
この混合物吐出手段６は、蓋部３１と、この蓋部３１に固定される混合液吐出用のポンプ装置７とで構成されている。上記蓋部３１は、下側二重壁部分３２と、この下側二重壁部分３２の内周面上端部から内側に突設される円環状の天井壁３３と、この天井壁３３の上面外周部から立設される上側周側壁３４とを有しており、上記上側周側壁３４内に上記ポンプ装置７の押しボタン４１が上記上側周側壁３４の内周面に沿って摺動自在に配設されている。上記下側二重壁部分３２は、円筒状の内側壁３６と、円筒状の外側壁３７と、これら内外両側壁３６，３７の上端部を連結する円環状の連結壁３８とからなり、上記内外両側壁３６，３７間の部分にキャップ取付部３の上側周側壁１７が挿入されている。また、上記外側壁３７には、その内周面に、キャップ取付部３の上側周側壁１７のねじ部１７ａにら合するねじ部３７ａが形成されている。
【００２５】
また、上記天井壁３３には、その中央孔の内周縁部下面から円筒状の保持部３９が垂下しており、この保持部３９に、上記ポンプ装置７の本体部４２が保持されている。このポンプ装置７としては、ノズル４１ａ付き押しボタン４１を有するタイプの、従来公知のものが用いられており、上記蓋部３１の天井壁３３から突出するノズル４１ａ付き押しボタン４１と、上記保持部３９に保持される本体部４２と、ケース２内の混合液Ｃを本体部４２に吸い上げる軟質のチューブ４３とで構成されている。このチューブ４３は上記本体部４２の下端から延びており、上記キャップ取付部３の連結片部２１間を通りケース２の底部近傍にまで延びている。
【００２６】
８は有天円筒状に形成された仮キャップであり、未使用時に、押しボタン４１が不用意に押し下げられないように、上記混合物吐出手段６の蓋部３１に着脱自在に取り付けられている。このようなポンプ装置７は、未使用時には仮ケース４５（図１４参照）に収容されている。
【００２７】
上記の構成において、使用時には、上記したように、キャップ取付部３の上端開口部からキャップ４を取り外して、収容部２３に収容した粉末Ｂとケース１内の液状化粧料Ａとを混合させたのち、上記キャップ取付部３の上側周側壁１４のねじ部１４ａに混合物吐出手段６の蓋部３１のねじ部３７ａをら合することにより（図１４参照）、上記キャップ取付部３の上側周側壁１４に蓋部３１を取り付けて混合物吐出手段６の押しボタン４１を下方に押圧することを行う。これにより、上記押しボタン４１のノズル４１ａから混合液Ｃを吐出させることができる。それ以外の部分は上記実施の形態と同様であり、同様の部分には同じ符号を付している。この実施の形態でも、上記実施の形態と同様の作用・効果を奏する。しかも、混合物吐出手段６を加え、そのポンプ装置７の押しボタン４１を押すだけで混合液Ｃを吐出させることができるようにしているため、非常に簡単に使用することができる。
【００２８】
なお、上記実施の形態では、第１成分として、液状化粧料Ａを用い、第２成分として、粉末Ｂを用いているが、これに限定するものではなく、第１成分として、粉末Ｂや錠剤を用いてもよいし、第２成分として、液体や錠剤を用いてもよい。また、上記実施の形態において、混合物吐出手段６は、容器本体１内の混合物（液体，粉末，錠剤等からなる各種の混合物）を吐出できるものであれば、どのようなものでもよい。また、ポンプ装置７としては、好適には、指圧式のものが用いられるが、指圧式以外の、どのようなものを用いてもよいし、押しボタン４１にノズル４１ａが設けられていなくてもよい。
【図面の簡単な説明】
【００２９】
【図１】本発明の第１の二成分混合容器の一実施の形態を示す斜視図である。
【図２】上記第１の二成分混合容器の断面図である。
【図３】容器本体の断面図である。
【図４】ケースの断面図である。
【図５】キャップ取付部の断面図である。
【図６】上記キャップ取付部の平面図である。
【図７】上記キャップ取付部の要部の斜視図である。
【図８】キャップの断面図である。
【図９】収容体の断面図である。
【図１０】上記収容体の組み付け方法を示す分解断面図である。
【図１１】本発明の第２の二成分混合容器の一実施の形態を示す斜視図である。
【図１２】上記第２の二成分混合容器の断面図である。
【図１３】混合液吐出手段の要部の断面図である。
【図１４】上記第２の二成分混合容器の使用方法を示す分解断面図である。
【図１５】従来例を示す分解断面図である。
【図１６】上記従来例の作用を示す断面図である。
【符号の説明】
【００３０】
１  容器本体
４  キャップ
１８  連結片部
１９  栓部
２３  収容部
Ａ  液状化粧料
Ｂ  粉末
【図１】
0004764130.tif 000002
【図２】
0004764130.tif 000003
【図３】
0004764130.tif 000004
【図４】
0004764130.tif 000005
【図５】
0004764130.tif 000006
【図６】
0004764130.tif 000007
【図７】
0004764130.tif 000008
【図８】
0004764130.tif 000009
【図９】
0004764130.tif 000010
【図１０】
0004764130.tif 000011
【図１１】
0004764130.tif 000012
【図１２】
0004764130.tif 000013
【図１３】
0004764130.tif 000014
【図１４】
0004764130.tif 000015
【図１５】
0004764130.tif 000016
【図１６】
0004764130.tif 000017